(57)【要約】      （修正有）【課題】手元供養に適した骨壷を提供する。【解決手段】骨壷は、クリスタルガラス製の本体部１２とクリスタルガラス製の土台部１４で構成され、本体部１２が下面に開口する遺骨収納室１６と遺骨投入口２０の周縁に接着領域２２を備え、土台部１４が遺骨収納室１６を密閉する封止領域２４と接着領域２２に接着する被接着領域２６を備え、遺骨収納室１６に粉末状の遺骨を収納した後に接着領域２２と被接着領域２６を接着し、本体部１２と土台部１４を一体化させる。【選択図】図３
0003199661.tif 000002
【実用新案登録請求の範囲】
【請求項１】
クリスタルガラス製の本体部と、クリスタルガラス製の土台部で構成される骨壷であって、
前記本体部が、下面に開口する遺骨収納室と、前記開口の周縁に接着領域を備え、
前記土台部が、前記遺骨収納室を密閉する封止領域と、前記接着領域に接着する被接着領域を備え、
前記遺骨収納室に粉末状の遺骨を収納した後に前記接着領域と前記被接着領域を接着し、前記本体部と前記土台部を一体化させたことを特徴とする、
骨壷。
【請求項２】
全体として略立方体の形状を有することを特徴とする、
請求項１に記載の骨壷。
【請求項３】
前記本体部と前記土台部の高さ比が３：１乃至４：１であることを特徴とする、
請求項２に記載の骨壷。
【考案の詳細な説明】
【技術分野】
【０００１】
本考案は、粉末化した遺骨を収納する骨壷に関し、特に手元供養に適した骨壷に関する。
【背景技術】
【０００２】
従来、遺骨は骨壷に収納した状態でお墓に収めるものとされており、年に数回お墓参りをすることで先祖を敬うというのが一般的な供養の形態である。しかしながら、お墓が遠方にあることも多く、特に高齢者にとってはお墓参りが非常に困難になっている状況も見受けられる。身近なところにお墓を移そうにも特に都市部においては選択の余地があまりなく、あったとしても非常に高価で二の足を踏むことも多い。一方では、遺骨をお墓などの離れた寂しいところではなく、身近に置いておきたいという考え方も徐々にではあるが広まってきている。
【０００３】
このような背景のもと、近年、手元供養と呼ばれる新しい供養の形態が注目されている。手元供養とは、遺骨を生活空間など身近なところに置くことで、故人を想う遺族の心を癒すという供養方法である。手元供養には加工の有無や持ち運びの有無などにより幾つかの形態がある。多くの場合、従来の骨壷と同様に容器に収めた状態で保管するが、ロケットペンダントの中に遺骨を収めて常に身に付けたり、遺骨を加工してペンダントや指輪の素材にすることも行われている（特許文献１参照）。
【先行技術文献】
【特許文献】
【０００４】
【特許文献１】特開２００９−３９１４１
【考案の概要】
【考案が解決しようとする課題】
【０００５】
手元供養が注目されるようになった背景には、先に述べた理由の他に散骨への理解が深まってきたことも挙げられる。近年、墓地や納骨を巡る状況の変化さらには宗教観や家族の在り方に対する意識の変化から、新しい埋葬の形態として散骨が注目を浴びている。散骨とは、人骨と判別できない程度に遺骨を粉砕して粉末状に加工し、海や山などの故人が指定した場所に撒布する埋葬方法である。散骨を巡っては墓地・埋葬等に関する法律や刑法の死体等遺棄罪など、いつくか考慮しなければならない問題はあるが、散骨そのものを規制する法律は存在せず、法務省は非公式ではあるが節度をもって行われる限りは違法性はないとしている。
【０００６】
散骨を行う場合、遺骨のすべてを撒布することは稀であり、一部の遺骨は残しておきたいという遺族の想いが手元供養への需要につながっている。撒布される遺骨は粉骨と呼ばれる作業を経て微細な粒子状に加工されているため、手元に残しておく遺骨の保管には湿気への対策が必要になる。また人目に付くところに保管しても違和感のない外観となるように配慮しなければならない。従来の骨壷は素材として陶磁器が用いられることが多く、蓋も密閉する機能を有していなかったため、湿気によって遺骨が風化することもあった。また、お墓に収めた後はほとんど人目に触れることがないため、意匠を凝らしたものは極めて稀であった。
【課題を解決するための手段】
【０００７】
前述の課題を解決するため、本考案は次のような特徴を有する。
【０００８】
クリスタルガラス製の本体部と、クリスタルガラス製の土台部で構成される骨壷であって、前記本体部が、下面に開口する遺骨収納室と、前記開口の周縁に接着領域を備え、前記土台部が、前記遺骨収納室を密閉する封止領域と、前記接着領域に接着する被接着領域を備え、前記遺骨収納室に粉末状の遺骨を収納した後に前記接着領域と前記被接着領域を接着し、前記本体部と前記土台部を一体化させたことを特徴とする骨壷。
【０００９】
この骨壷は全体がクリスタルガラス製であることから、外観の意匠性が高く、また収納された遺骨を外側から常に目にすることができる。遺骨を収納する空間は密閉されているため、湿気等による遺骨の風化を防止することができ、骨壷を傾けたり転倒させたりしたときにも粉末状の遺骨がこぼれ出ることがない。
【００１０】
骨壷全体を略立方体の形状になるように構成すると、骨壷というよりは調度品のような外観となり、居間や寝室等どのような場所にでも違和感なく置くことができる。
【００１１】
本体部と土台部の高さ比が３：１乃至４：１になるように構成すると、骨壷全体に占める本体部の割合が大きくなり、収納された遺骨の見え方も含めて全体の美観がさらに向上する。
【考案の効果】
【００１２】
本考案によれば、クリスタルガラス製の筐体を通してあえて遺骨を見せることで審美性や意匠性を追求した骨壷を提供することができる。また遺骨を風化させることなく保存することができ、万が一の転倒時や落下時においても遺骨をこぼすことなく保護できる骨壷を提供することができる。
【図面の簡単な説明】
【００１３】
【図１】骨壺の側面図
【図２】骨壺の平面図
【図３】図１の３−３線断面図
【図４】図１の４−４線断面図
【考案を実施するための形態】
【００１４】
以下、本考案の実施の形態について図面を参照しながら説明する。
【００１５】
最初に、骨壷の構成について説明する。骨壷１０は、遺骨を収納するための容器であり、クリスタルガラス製の筐体の内側に遺骨を収納するための空間が形成されている。筐体は、高さおよび幅、奥行きが約４０ｍｍの全体として略立方体の形状をなしている。筐体は上下２つのパーツ（本体部１２と土台部１４）で構成され、本体部１２と土台部１４を接着することにより、筐体の内部に密閉された遺骨収納室１６が形成されるようになっている。
【００１６】
本体部１２と土台部１４にはクリスタルカット（面取り加工）が施されている。本体部１２の上面１２ａの４辺には比較的大きめの面取り加工が施され、下面１２ｂの４辺には比較的小さめの面取り加工が施されている。これとは逆に、土台部１４の上面１４ａの４辺には比較的小さめの面取り加工が施され、下面１４ｂの４辺には比較的大きめの面取り加工が施されている。本体部１２の上面１２ａの面取り加工の形状と土台部１４の下面１４ｂの面取り加工の形状は同一である。また本体部１２ｂの下面の面取り加工の形状と土台部１４の上面１４ａの面取り加工の形状は同一である。本体部１２の下面１２ｂと土台部１４の上面１４ａは隙間なく接着できるように平滑な面に形成されている。
【００１７】
本体部１２には円筒形の遺骨収納室１６が設けられている。遺骨収納室１６が本体部１２の下面１２ａの中央に開口する部分は円形の遺骨投入口２０である。遺骨投入口２０の周縁は紫外線硬化樹脂を塗布するための接着領域２２である。土台部１４の上面１４ａの遺骨投入口２０と相対する部分は、遺骨投入口２０を塞いで遺骨収納室１６を密閉するための封止領域２４である。封止領域の周縁は本体部１２の接着領域２２に接着する被接着領域２６である。
【００１８】
続いて、骨壷１０に遺骨を納める手順について説明する。まず、本体部１２を遺骨投入口２０が上向きになるように設置する。次に、十分に乾燥させた粉末状の遺骨を遺骨投入口２０から遺骨収納室１６に投入する。このとき遺骨収納室１６にある程度の余裕が残るように遺骨の投入量を調節する。次に、遺骨投入口２０を除く本体部１２の下面１２ａ全体に紫外線硬化樹脂を塗布する。その上に土台部１４を下向きに被せ、位置合わせをした後に樹脂を塗布した箇所に紫外線を照射する。これにより本体部１２と土台部１４が一体化した骨壷１０が完成する。樹脂の硬化にって遺骨収納室１６は完全に密閉されるため、骨壷１０を土台部１４が下になるように設置しても遺骨がこぼれ出すようなことはない。また遺骨収納室１６の気密性も保たれるため、湿気による曇りやカビが発生することもない。
【００１９】
骨壷１０は、本体部１２と土台部１４の高さ比ｈ１：ｈ２が３：１乃至４：１程度になるようにすると、骨壷全体に占める本体部１２の割合が大きくなり、置物としての美観を向上させることができる。また、このような高さ比であれば遺骨収納室１６に納めた遺骨が骨壷１０の略中央か中央よりやや下寄りに位置するようになり、クリスタルガラスの透明な輝きと遺骨の白色の織りなす色彩感を艶やかに表出することができる。
【符号の説明】
【００２０】
１０  骨壷
１２  本体部
１４  土台部
１６  骨壷収納室
２０  骨壷投入口
２２  接着領域
２４  封止領域
２６  被接着領域
【図１】
0003199661.tif 000003
【図２】
0003199661.tif 000004
【図３】
0003199661.tif 000005
【図４】
0003199661.tif 000006